(57)【特許請求の範囲】
【請求項１】
下部キャビネットと、下部キャビネットの上方に前方に開口する空所を介して配設する上部キャビネットと、空所の後方に配設する背面板とを備えて成る玄関キャビネットであって、上部キャビネットの下面部の後部に下方且つ後方に開口する凹部を形成し、下部キャビネットの上面部にカウンター板を設け、カウンター板の後端と凹部の天井面の後端との間に背面板を至らせ、凹部内に、背面板における凹部に臨む部位を含んだ上部域を照射するための光源を、配設し、上記凹部を側方に開口して形成すると共に、この凹部を有した上部キャビネットを複数個側方に並べて配置し、各上部キャビネットの凹部の側方開口同士を連通させて成ることを特徴とする玄関キャビネット。
【請求項２】
上部キャビネットと下部キャビネットとの間に配置されて一体化される中間キャビネットを有し、この中間キャビネットは、下部キャビネットの上面部に載置されるカウンター板と、カウンター板の後端から起立する背面板と、カウンター板及び背面板の側端同士を連結する側面板とを備え、カウンター板と背面板と側面板とで囲繞して空所を形成し、上部キャビネットの凹部に合致嵌合する位置決め用突板部を側面板の上部に設けて成ることを特徴とする請求項１記載の玄関キャビネット。
【請求項３】
上記凹部の前面を構成する縦板状の蓋板を上部キャビネットに着脱自在に設けたことを特徴とする請求項１又は２記載の玄関キャビネット。
【発明の詳細な説明】
【技術分野】
【０００１】
本発明は、玄関キャビネットに関するものである。
【背景技術】
【０００２】
従来から、玄関内壁面４０に沿わせて上部キャビネット３と上面がカウンターになった下部キャビネットとを空所５を介して上下に配設して成る玄関キャビネット１は、図８のように知られている（たとえば特許文献１参照）。
【０００３】
詳しくは、この玄関キャビネット１は、上部キャビネット３の下面部に前板、両側板、背板３２を枠組みした下枠体３１を取り付け、光源８を前板の後面に取り付けて下枠体３１内に収納してある。空所５の後方には玄関内壁面４０が露出している。光源８を発光させると光は後方に照射されて下枠体３１の背板３２や背板３２の後側に沿う玄関内壁面４０を照らし、この反射光によって玄関キャビネット１の空所５、ひいては該空所５に収められるカウンター面板に載せた花瓶などの装飾物を、間接照明で仄かに照らすことが可能になり、玄関に落ち着いた雰囲気を醸し出すことを可能にしている。
【０００４】
ところで、昨今では玄関キャビネット１の空所５やこれに収めた装飾物を間接照明で仄かに照らし出すことは、何らの新鮮味も無くなり、魅力ある商品価値では無くなってきている。すなわち、図８の玄関キャビネット１では、玄関キャビネット１の前方の土間等に立った人からは光源８自体は見えないものの、上部キャビネット３と玄関内壁面４０との境界Ｂ（この例では下枠材３１の背板３２と玄関内壁面４０との境界Ｂ）が見えるものであり、光源８の照射光が、上部キャビネット３と玄関内壁面４０との境界Ｂを照らして現出させることで、境界Ｂを挟んで配置される２部材（玄関内壁面４０と下枠材３１の背板３２）の光り加減の違いや、境界Ｂにできる影などによって、容易に光源８の配設位置が予測されて、従来からある間接照明の構造を単に踏襲したものであることが簡単に見破られてしまうのであり、高い商品価値を伴う照明効果は期待できない。
【０００５】
そこで、本出願人は、図示はしないが下部キャビネットのカウンター面板と上部キャビネット３の下端部とに至る背面板を空所５の後方に配設し、この背面板に光源８を内蔵し、背面板の前面から透過光を発することで、空所５や装飾物を仄かに照らすことを想起した。これによると背面板が光るといった斬新な照明効果を発現できて高い商品価値を創出できるのであるが、背面板の厚みが厚くなったり、配線スペースを確保しにくかったりして比較的狭い空間である玄関空間に不利であるばかりか、そもそもコスト高になるといった問題があり、採用することはできないものであった。
【特許文献１】実開平６−４９６４２号公報
【発明の開示】
【発明が解決しようとする課題】
【０００６】
本発明は上記の点に鑑みてなされたものであり、その目的とするところは、間接照明を採用してコストを抑えつつも、高い商品価値を伴う照明効果を現出できる玄関キャビネットを提供することを課題とするものである。
【課題を解決するための手段】
【０００７】
上記課題を解決するために請求項１に係る玄関キャビネットにあっては、下部キャビネット２と、下部キャビネット２の上方に前方に開口する空所５を介して配設する上部キャビネット３と、空所５の後方に配設する背面板６とを備えて成る玄関キャビネット１であって、上部キャビネット３の下面部の後部に下方且つ後方に開口する凹部７を形成し、下部キャビネット２の上面部にカウンター面板９を設け、カウンター面板９の後端と凹部７の天井面７ａの後端との間に背面板６を至らせ、凹部７内に、背面板６における凹部７に臨む部位を含んだ上部域６ａを照射するための光源８を、配設し、上記凹部７を側方に開口して形成すると共に、この凹部７を有した上部キャビネット３を複数個側方に並べて配置し、各上部キャビネット３の凹部７の側方開口同士を連通させて成ることを特徴とする。
【０００８】
これによると、光源８が光を照射した際の背面板６の上部域６ａでの反射光によって、玄関キャビネット１の空所５、ひいては該空所５に収められるカウンター面板９に載せた花瓶などの装飾物Ａを、間接照明で仄かに照らすようにできる。そして、このような空所５や装飾物Ａを間接照明で照らすものでありながら、空所５を玄関キャビネット１の前方から見た場合には、光源８は勿論のこと、背面板６と凹部７の天井面７ａとの境界Ｂが凹部７の中に隠れて見えず、つまり、背面板６の上部域６ａが光って見えるだけであるから、あたかも背面板６自身が光っているような照明効果を現出できるのであり、従来からある間接照明のイメージを払拭できて商品価値を高めることができる。また、玄関キャビネット１の幅方向に伸びる長尺の凹部７を簡単に形成することができ、光源８に一様に照明光を発する線光源を好適に凹部７内に配設することができて、背面板６の上部域６ａを玄関キャビネット１の幅方向に一様に光らせて照明効果の向上を図ることができる。
【０００９】
また、請求項２に係る玄関キャビネットにあっては、請求項１において、上部キャビネット３と下部キャビネット２との間に配置されて一体化される中間キャビネット４を有し、この中間キャビネット４は、下部キャビネット２の上面部に載置されるカウンター面板９と、カウンター面板９の後端から起立する背面板６と、カウンター面板９及び背面板６の側端同士を連結する側面板１０とを備え、カウンター面板９と背面板６と側面板１０とで囲繞して空所５を形成し、上部キャビネット３の凹部７に合致嵌合する位置決め用突板部１１を側面板１０の上部に設けて成ることを特徴とする。
【００１０】
これによると、玄関キャビネット１の形成が、上部キャビネット３、下部キャビネット２及び中間キャビネット４の組立てによって行うことができ、特に、上部キャビネット３と中間キャビネット４との配設は、上部キャビネット３の凹部７に対して中間キャビネット４の位置決め用突板部１１を合致嵌合させることで位置決めを伴って行えるから、玄関キャビネット１の形成作業を容易にできる。また、上部キャビネット３の凹部７に対して合致嵌合させた中間キャビネット４の位置決め用突板部１１によると、凹部７の側方を閉塞できて光源８の光が凹部７の側方から漏れ出るのを防止できる。
【００１３】
また、請求項３に係る玄関キャビネットにあっては、請求項１または２において、上記凹部７の前面を構成する縦板状の蓋板１２を上部キャビネット３に着脱自在に設けたことを特徴とする。
【００１４】
これによると、蓋板１２を上部キャビネット３から取り外すことで、上部キャビネット３の前方から上部キャビネット３の内部を通して凹部７に手を挿入できて、凹部７内でのたとえば光源８の取換えや取付け作業などの作業性を向上できる。
【発明の効果】
【００１５】
本発明にあっては、間接照明を採用してコストを抑えつつも、高い商品価値を伴う照明効果を現出できる、という利点を有する。
【発明を実施するための最良の形態】
【００１６】
以下、本発明を添付図面に示す実施形態に基いて説明する。
【００１７】
本例の玄関キャビネット１は、図１乃至３のように、上下に下部キャビネット２、中間キャビネット４、上部キャビネット３を並べて配設すると共に、これら各部キャビネット２，３，４の側方に亙って側部キャビネット１３を隣接して配設し、各キャビネット２，３，４，１３同士を固定することで一体的に構成されている。
【００１８】
下部キャビネット２、上部キャビネット３、側部キャビネット１３は、それぞれ背板１４の周縁に側板１５、天板１６、底板１７を配置してこれら各板１４〜１７で囲繞した前方に開口する収納空間１８を有し、該収納空間１８を適宜棚板などの仕切り材１９で仕切って成る矩形状のキャビネット本体を備えると共に、キャビネット本体の前面に収納空間１８を開閉する扉体２０を適宜配置して構成されている。
【００１９】
上記各部キャビネット２，３，１３は、それぞれ上記基本構成を有すると共にその幅寸法を統一してモジュール化されており、施工プランに合わせてモジュール化された各部キャビネット２，３，１３を側方に適宜の個数並べて組み付け可能にされている。本例の玄関キャビネット１では、各２個の下部キャビネット２及び上部キャビネット３を用い、これらの側方にそれぞれ各２個の側部キャビネット１３をそれぞれ配設している。なお、下部キャビネット２及び上部キャビネット３の使用個数は、下部キャビネット２と上部キャビネット３との間に収まり良く中間キャビネット４を配設する必要から、同個数であることが条件となる。
【００２０】
中間キャビネット４は、図５のように、下部キャビネット２及び上部キャビネット３の幅寸法（複数並設した場合は全体の幅寸法）と同幅に形成され、下部キャビネット２の上面部に載置されるカウンター面板９と、カウンター面板９の後端から起立する背面板６と、カウンター面板９及び背面板６の側端同士を連結する一対の側面板１０と、一対の側面板１０の前部の上縁間に架設されて上部キャビネット３の底板１７を載置する天面板２１とを有すると共に、これら各面板６，９，１０，２１で囲繞されて前方に開口する空所５を有して構成されている。この空所５には上記各部キャビネット２，３，１３のように扉体２０は設けられず、玄関キャビネット１の完成時においても空所５は前方に開口したままにされる。つまり、この空所５は、カウンター面板９に載せた花瓶などの装飾物Ａを収めるディスプレイ空間として機能でき、この空所５や装飾物Ａは後述する光源８から発する光にて間接的に照らされて、玄関空間に落ち着いた雰囲気を醸し出すことを可能にしている。
【００２１】
この玄関キャビネット１は玄関内壁面４０に沿わせて玄関に配設されるのであるが、施工現場の玄関構造に合わせて、室内床４１に載置させたり、玄関内壁面４０に埋設した固定用下地材４２に背板１４をネジ等の固定具２２で固定させたりして適宜施工される。たとえば図１乃至３のように玄関キャビネット１を台座部材２３を介して室内床４１に据え置いたり、また玄関キャビネット１を上がり框４３を跨いで配設する場合には図７（ａ）のように下端の一部を台座部材２３を介して室内床４１に据え置くと共に下端の一部を土間４４の上方に浮かせて吊り支持させて配設したり、また図７（ｂ）のように玄関キャビネット１の下端を室内床４１（又は土間４４）の上方に浮かせて吊り支持させて配設することもできる。なお、図１中２４は玄関キャビネット１の上端面と玄関天井４５との隙間を埋めて収まりを良くするための隙間埋め材であり適宜使用される。また、図７のように玄関内壁面４０に吊り支持した玄関キャビネット１では、宙に浮く下端部分を固定用下地材４２に取り付けたアングル材（図示せず）に載設して取付強度を確保している。
【００２２】
ところで、本例の玄関キャビネット１では、空所５や装飾物Ａを照らす照明効果に、従来からある間接照明のイメージを払拭した高い商品価値を発現できたことに特徴を有しており、以下に詳述する。
【００２３】
図４のように、上部キャビネット３の下面部の後部には下方且つ後方に開口する凹部７を形成している。具体的には、上部キャビネット３の一対の側板１５の後部の下角部にはそれぞれ下方且つ後方に開口する切欠２５が形成され、各切欠２５の上縁同士に凹部７の天井面７ａを構成する天井面板２６が架設されている。この天井面板２６の後端は上部キャビネット３の背板１４の下端に連結されている。天井面板２６はその上面を収納空間１８の棚板として使用できる。また、上部キャビネット３には凹部７の前面を構成する縦板状の蓋板１２が設けられる。この蓋板１２は、図６のように、下端に設けた係止突起１２ａを底板１７の後端上面の係止溝部１７ａに係止すると共に、上端を天井面板２６の前端面に蓋用ビス２７にて取り付けてあり、収納空間１８内からの上記蓋用ビス２７の着脱によって上部キャビネット３への着脱が可能にされている。なお、上部キャビネット３の内部において蓋板１２の手前のスペースも底板１７に収納物を載せて収納できる収納スペースとして利用できる。
【００２４】
中間キャビネット４の上に上部キャビネット３を配設したときには、図１のように中間キャビネット４の背面板６の上端面が上部キャビネット３の凹部７の天井面７ａの下面に当接される。また図５のように、中間キャビネット４の各側面板１０の上端部の後部には、上部キャビネット３の凹部７に合致嵌合する位置決め用突板部１１が上方に延出されている。この位置決め用突板部１１は、その後端面が背面板６に連結され、その上端面が凹部７の天井面７ａに当接され、その前端面が凹部７の前面に当接されることで、上部キャビネット３の凹部７に合致嵌合する。このように上部キャビネット３の凹部７に対して中間キャビネット４の位置決め用突板部１１を合致嵌合させたことで、上部キャビネット３と中間キャビネット４との位置決めを伴った配設ができ、玄関キャビネット１の形成作業が容易にされている。
【００２５】
中間キャビネット４と上部キャビネット３との配設状態では、凹部７は、上部キャビネット３の天井面板２６及び蓋板１２、中間キャビネット４の位置決め用突板部１１及び背面板６によって囲繞されて下方の空所５にのみ開いて連通された、中間キャビネット４の幅方向に長尺の溝状部位になる。詳しくは、上部キャビネット３を側方に複数個隣接して配置した場合には、各上部キャビネット３に形成した凹部７の側方開口がそれぞれ隣接する凹部７の側方開口と連通して、複数の上部キャビネット３に亙る溝条部位となる。
【００２６】
この凹部７には光源８が収めて配設される。具体的には、光源８は、凹部７の長手方向に長い線光源となる直管蛍光灯８ａで構成され、図６のように上部キャビネット３の天井面板２６の下面に取り付けた光源取付台２８に装着されて、蓋板１２の後面に近接した状態に配設される。ここで、光源８の取付けや取替えなどの際には、蓋板１２を上部キャビネット３から取り外すことで、上部キャビネット３の前方から収納空間１８を通して凹部７内に手を挿入できるから、この作業の容易化か図られている。
【００２７】
また、光源取付台２８には、光源８の前縁に垂設される縦片部２９ａと、光源８の上方に位置して上記縦片部２９ａの上端から後斜め上方に突出する傾斜片部２９ｂとを備えた反射板２９が取り付けられている。この反射板２９によると、光源８の照射光に対し、背面板６における凹部７に臨む部位を含んだ上部域６ａを照射する指向性を備えるようにできる。なお、凹部７の側方は位置決め用突板部１１にて閉塞されているので、光源８の光が凹部７の側方から漏れ出ることも防止されている。
【００２８】
したがって、光源８が光を照射した際には、背面板６の上部域６ａでの反射光によって、玄関キャビネット１の空所５、ひいては該空所５に収められるカウンター面板９に載せた花瓶などの装飾物Ａを、間接照明で仄かに照らすようにできる。このとき、空所５を玄関キャビネット１の前方から見た場合には、図１及び２のように、光源８は勿論のこと、背面板６と凹部７の天井面７ａとの境界Ｂが凹部７の中に隠れて見えず、つまり、背面板６の上部域６ａが光って見えるだけであるから、あたかも背面板６自身が光っているような照明効果を現出できたものである。このように本例では、空所５や装飾物Ａを間接照明で照らすものであってコスト的な利点を備えるものでありながら、あたかも背面板６自身が光っているような照明効果を現出できたものであり、従来からある間接照明のイメージを払拭できて商品価値を高めることができたのである。
【００２９】
ここで、光源８として本例のように線光源の直管蛍光灯８ａを用いた場合には、背面板６の上部域６ａの光り具合を偏りのない略一様な状態にでき、上記の照明効果を良好に発現させることが可能になり好ましい。なお、光源８として用いる直管蛍光灯８ａが凹部７の長手寸法に比べて充分に短い場合には、複数本の直管蛍光灯８ａを連続して配置することもできる。このとき、直管蛍光灯８ａとして、両端の端子部を上面に設けて直管蛍光灯８ａの全長全てを発光部としたタイプのものを用いた場合には、複数の直管蛍光灯８ａを一直線状に列設させても光の切れ間を無くできて、背面板６の上部域６ａの光り具合を偏りのない略一様な状態にできるから、上記の照明効果を良好に発現させることが可能になり好ましい。
【００３０】
なお、本発明の玄関キャビネット１には側部キャビネット１３は必須のものではなく、上部キャビネット３、中間キャビネット４及び下部キャビネット２の側方に亙って縦長の化粧側面板３０を直接配設してもよい。化粧側面板３０は、各キャビネット２，３，４の収納空間１８側からビス固定されて、その表面に綺麗な化粧面３０ａを維持して玄関キャビネット１に良好な外観を確保するものである。
【００３１】
また、空所５の後方に配置する背面板６は、上記実施形態では中間キャビネット４に設けているが、これに限られることなく、たとえば上部キャビネット３と下部キャビネット２の各後端間に亙るように玄関内壁面４０に沿わせて固定させたり、上部キャビネット２又は下部キャビネット３の後端から一体に延出させたりなど、任意の形態で設置することも可能である。これによっても、背面板６自身が光っているような照明効果の現出は可能であって、従来からある間接照明のイメージを払拭できて商品価値を高めることが可能である。
【図面の簡単な説明】
【００３２】
【図１】本発明の実施の形態の例の玄関キャビネットであり、（ａ）は正面図であり、（ｂ）は側断面図である。
【図２】同上の玄関キャビネットにおける一部に照明効果を現した斜視図である。
【図３】同上の玄関キャビネットの扉体を除いた分解斜視図である。
【図４】同上の上部キャビネットにおける本体キャビネットの分解斜視図である。
【図５】同上の中間キャビネットの分解斜視図である。
【図６】同上の蓋体の着脱を説明する要部の側面図である。
【図７】（ａ）（ｂ）は同上の玄関キャビネットの他の施工例を示す正面図である。
【図８】従来技術の例の玄関キャビネットの要部の側断面図である。
【符号の説明】
【００３３】
１  玄関キャビネット
２  下部キャビネット
３  上部キャビネット
４  中間キャビネット
５  空所
６  背面板
６ａ  上部域
７  凹部
７ａ  天井面
８  光源
９  カウンター面板
１０  側面板
１１  位置決め用突板部
１２  蓋板
【図１】
0004877187.tif 000002
【図２】
0004877187.tif 000003
【図３】
0004877187.tif 000004
【図４】
0004877187.tif 000005
【図５】
0004877187.tif 000006
【図６】
0004877187.tif 000007
【図７】
0004877187.tif 000008
【図８】
0004877187.tif 000009